(57)【要約】【課題】マルチディスプレイシステムを容易に構築できる表示装置を提供すること。【解決手段】表示装置４は、システムで用いられる複数の表示装置の台数に関する台数情報、および原画像内における該表示装置４が表示すべき部分画像の位置に関する位置情報を機械的に設定可能とする機械式スイッチ部４２と、原画像情報から部分画像情報を生成し部分画像情報に基づく部分画像を画像投射部４１に表示させる制御装置４３とを備える。制御装置４３は、機械式スイッチ部４２と電気的に接続し機械式スイッチ部４２の状態を検出して機械式スイッチ部４２に設定された台数情報および位置情報を認識するスイッチ認識部４３２と、スイッチ認識部４３２にて認識された台数情報および位置情報に基づいて、原画像情報の少なくとも一部の画像情報を切り出して部分画像情報を生成する部分画像情報生成部４３４１Ａとを備える。【選択図】図２
2008026686.tif 000002
【特許請求の範囲】
【請求項１】
入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置であって、
前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、
前記原画像情報から前記部分画像情報を生成し、前記部分画像情報に基づく部分画像を表示部に表示させる制御装置とを備え、
前記制御装置は、
前記機械式スイッチ部と電気的に接続し、前記機械式スイッチ部の状態を検出して前記機械式スイッチ部に設定された台数情報および位置情報を認識するスイッチ認識部と、
前記スイッチ認識部にて認識された台数情報および位置情報に基づいて、前記原画像情報の少なくとも一部の画像情報を切り出して前記部分画像情報を生成する部分画像情報生成部とを備えている
ことを特徴とする表示装置。
【請求項２】
請求項１に記載の表示装置において、
前記各部分画像は、少なくとも一部が重なり合う重なり領域を有して前記原画像を構成するものであり、
前記部分画像情報生成部は、前記部分画像の重なり領域を含んだ範囲の画像情報を前記原画像情報から切り出して前記部分画像情報を生成する
ことを特徴とする表示装置。
【請求項３】
請求項２に記載の表示装置において、
前記部分画像の重なり領域の明るさを調整する明るさ調整部を備えている
ことを特徴とする表示装置。
【請求項４】
請求項１から請求項３のいずれかに記載の表示装置において、
前記制御装置は、
前記スイッチ認識部にて認識された台数情報および位置情報に基づいて、一画面の少なくとも一部を構成する参照部分画像を前記表示部に表示させる参照画像表示制御を実施する参照画像表示制御部を備えている
ことを特徴とする表示装置。
【請求項５】
請求項４に記載の表示装置において、
前記参照画像表示制御部は、当該表示装置の電源投入時において、前記参照画像表示制御を実施する
ことを特徴とする表示装置。
【請求項６】
請求項４または請求項５に記載の表示装置において、
前記参照部分画像は、当該表示装置の設置位置を調整するための案内情報を含んで構成されている
ことを特徴とする表示装置。
【請求項７】
入力した原画像情報から部分画像情報を生成し、前記部分画像情報に基づく部分画像を表示する複数の表示装置を有し、前記複数の表示装置が表示する各部分画像によって前記原画像情報に基づく原画像を表示するマルチディスプレイシステムであって、
前記複数の表示装置は、請求項１から請求項６のいずれかに記載の表示装置で構成されている
ことを特徴とするマルチディスプレイシステム。
【請求項８】
入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置の表示方法であって、
前記表示装置は、
前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、
前記原画像情報から前記部分画像情報を生成し、前記部分画像情報に基づく部分画像を表示部に表示させる制御装置とを備え、
当該表示方法は、
前記制御装置が、
前記機械式スイッチ部の状態を検出して前記機械式スイッチ部に設定された台数情報および位置情報を認識する設定認識ステップと、
前記認識した台数情報および位置情報に基づいて、前記原画像情報の少なくとも一部の画像情報を切り出して前記部分画像情報を生成する部分画像情報生成ステップとを実行する
ことを特徴とする表示方法。
【請求項９】
入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置の制御プログラムであって、
前記表示装置は、
前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、
前記原画像情報から前記部分画像情報を生成し、前記部分画像情報に基づく部分画像を表示部に表示させる制御装置とを備え、
前記機械式スイッチ部の状態を検出して前記機械式スイッチ部に設定された台数情報および位置情報を認識する設定認識ステップと、
前記認識した台数情報および位置情報に基づいて、前記原画像情報の少なくとも一部の画像情報を切り出して前記部分画像情報を生成する部分画像情報生成ステップとを前記制御装置に実行させる
ことを特徴とする制御プログラム。
【請求項１０】
請求項９に記載の制御プログラムがコンピュータに読取可能に記録されていることを特徴とする制御プログラムを記録した記録媒体。
【発明の詳細な説明】
【技術分野】
【０００１】
本発明は、表示装置、マルチディスプレイシステム、表示方法、制御プログラム、および記録媒体に関する。
【背景技術】
【０００２】
従来、入力した原画像情報から部分画像情報を生成し、部分画像情報に基づく部分画像を表示する複数の表示装置（例えば、プロジェクタ）を有し、複数の表示装置が表示する各部分画像によって原画像情報に基づく原画像を、高輝度、高解像度、および大画面で表示するマルチディスプレイシステム（投写表示システム）が知られている（例えば、特許文献１参照）。
特許文献１に記載の技術では、マルチディスプレイシステムの設営時において、１台のコンピュータ（以下、ＰＣと記載）と、全てのプロジェクタとをカスケード接続する。そして、各プロジェクタは、ＰＣから順次出力される制御信号に基づいて、接続順序の番号データ、および接続された台数データを認識し、番号データメモリおよび台数データメモリにそれぞれ格納する。また、設置作業者がＰＣの表示部に表示された設定画面により各プロジェクタの処理条件（番号データおよび台数データに関連付けられ、部分画像の抽出範囲や拡大倍率に関する処理条件）を設定すると、ＰＣと各プロジェクタとを接続するケーブルを介して、各プロジェクタの処理条件メモリ内に処理条件が格納される。
そして、各プロジェクタは、入力した原画像情報から、番号データメモリおよび台数データメモリにそれぞれ格納された番号データおよび台数データに関連付けられた処理条件（抽出範囲、拡大倍率）を処理条件メモリから認識し、該処理条件で原画像情報から部分画像情報を抽出および拡大して、部分画像を表示する。
【０００３】
【特許文献１】特開２００２−２０７２４７号公報
【発明の開示】
【発明が解決しようとする課題】
【０００４】
しなしながら、特許文献１に記載の技術では、マルチディスプレイシステムの設営時において、接続された台数や接続順序の番号を設定する際、ＰＣおよび各プロジェクタをカスケード接続する必要がある。また、処理条件を設定する際には、ＰＣの表示部に表示された設定画面上で各プロジェクタの処理条件を設定する必要がある。すなわち、マルチディスプレイシステムの設営時において、ＰＣが必須の要件となり、プロジェクタ単体で動作設定（接続順序の番号、接続された台数、処理条件等の設定）ができないため、動作設定が複雑なものとなり、マルチディスプレイシステムの構築が難しいという問題がある。
【０００５】
本発明の目的は、マルチディスプレイシステムを容易に構築できる表示装置、マルチディスプレイシステム、表示方法、制御プログラム、および記録媒体を提供することにある。
【課題を解決するための手段】
【０００６】
本発明の表示装置は、入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置であって、前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、前記
原画像情報から前記部分画像情報を生成し、前記部分画像情報に基づく部分画像を表示部に表示させる制御装置とを備え、前記制御装置は、前記機械式スイッチ部と電気的に接続し、前記機械式スイッチ部の状態を検出して前記機械式スイッチ部に設定された台数情報および位置情報を認識するスイッチ認識部と、前記スイッチ認識部にて認識された台数情報および位置情報に基づいて、前記原画像情報の少なくとも一部の画像情報を切り出して前記部分画像情報を生成する部分画像情報生成部とを備えていることを特徴とする。
【０００７】
本発明によれば、表示装置が機械式スイッチ部を備えているので、マルチディスプレイシステムを設営する設置作業者は、従来のようにＰＣや各表示装置をカスケード接続することなく、すなわち、ＰＣを用いることなく、用いる表示装置の台数に関する台数情報、および設定対象となる表示装置が表示すべき部分画像の位置に関する位置情報を機械式スイッチ部に設定できる。また、台数情報および位置情報を設定する部分が機械式スイッチ部で構成されているので、設置作業者は、表示装置の電源を投入しなくても、台数情報および位置情報を機械式スイッチ部に設定できる。さらに、設置作業者は、機械式スイッチ部により台数情報および位置情報の設定状態が目視にて確認できるので、該台数情報および位置情報を目視にて確認しながら、表示装置を所定位置に設置できる。
【０００８】
また、表示装置を構成する制御装置は、スイッチ認識部および部分画像情報生成部を備えているので、例えば、以下に示すように、原画像情報から部分画像情報を生成できる。
すなわち、スイッチ認識部は、機械式スイッチ部の状態を検出し、機械式スイッチ部に設定された台数情報および位置情報を認識する。
そして、部分画像情報生成部は、例えば、台数情報および位置情報に関連付けられ、原画像情報から部分画像情報を生成するための各処理条件パラメータ（例えば、原画像情報から部分画像情報を生成するために原画像情報から所定領域の画像情報を切り出す切出範囲に関する情報や、切り出された画像情報の拡大率に関する情報）を記憶するメモリからスイッチ認識部にて認識された台数情報および位置情報に関連付けられた処理条件パラメータを読み出す。そして、部分画像情報生成部は、読み出した処理条件パラメータを用いて、自身が表示すべき部分画像の位置に応じた切出範囲の画像情報を原画像情報から切り出す処理、および切り出した画像情報を拡大する処理（画像情報のサイズを変換する処理）等を実施して、部分画像情報を生成する。
以上のように、設置作業者は、従来のようにＰＣの表示部に表示された設定画面上から処理条件を設定する必要がない。
したがって、マルチディスプレイシステムの設営時において、ＰＣを用いることなく、表示装置単体で動作設定（台数情報、位置情報、処理条件等の設定）ができ、動作設定の簡略化により、マルチディスプレイシステムを容易に構築できる。
【０００９】
本発明の表示装置では、前記各部分画像は、少なくとも一部が重なり合う重なり領域を有して前記原画像を構成するものであり、前記部分画像情報生成部は、前記部分画像の重なり領域を含んだ範囲の画像情報を前記原画像情報から切り出して前記部分画像情報を生成することが好ましい。
ここで、表示装置としては、部分画像を拡大投射するプロジェクタを採用できる。
ところで、各部分画像が重なり合うことなく各部分画像によって原画像を構成する場合には、各プロジェクタが適切に設置されていないと、各部分画像間に隙間が生じ、原画像を良好に表示できない。
本発明では、各部分画像は、少なくとも一部が重なり合う重なり領域を有して原画像を構成する。そして、部分画像情報生成部は、部分画像の重なり領域を含んだ範囲の画像情報を原画像情報から切り出して部分画像情報を生成する。このことにより、各プロジェクタから拡大投射される各部分画像の少なくとも一部が重なり合って原画像が表示されるので、各部分画像間に隙間が生じることがなく、原画像を良好に表示できる。
【００１０】
本発明の表示装置では、前記部分画像の重なり領域の明るさを調整する明るさ調整部を備えていることが好ましい。
ここで、明るさ調整部としては、部分画像の重なり領域の明るさを光学的に調整（光量調整）する遮光板や、部分画像情報における重なり領域に対応する画像情報に対して、明るさ（輝度や色）を調整する画像補正処理を実施する画像補正部等を採用できる。
【００１１】
ところで、各部分画像の一部が重なり合う重なり領域を有して原画像を構成する場合には、原画像において、重なり領域における輝度値が他の領域に比べて増大してしまい、原画像を良好に表示することが難しい。
本発明によれば、明るさ調整部により部分画像の重なり領域の明るさを調整できるので、原画像において、重なり領域における輝度値を他の領域と同等の輝度値とすることができ、原画像を自然な画像にして良好に表示できる。
【００１２】
本発明の表示装置では、前記制御装置は、前記スイッチ認識部にて認識された台数情報および位置情報に基づいて、一画面の少なくとも一部を構成する参照部分画像を前記表示部に表示させる参照画像表示制御を実施する参照画像表示制御部を備えていることが好ましい。
本発明では、制御装置を構成する参照画像表示制御部は、スイッチ認識部にて認識された台数情報および位置情報に基づいて、例えば、一画面となる参照原画像情報をメモリから読み出し、部分画像情報生成部の処理と同様に、自身が表示すべき部分画像の位置に応じた切出範囲の画像情報を参照原画像情報から切り出して参照部分画像情報を生成する。または、参照画像表示制御部は、台数情報および位置情報に関連付けられ、一画面の少なくとも一部を構成する各参照部分画像情報を記憶するメモリからスイッチ認識部にて認識された台数情報および位置情報に関連付けられた参照部分画像情報を読み出す。そして、参照画像表示制御部は、生成した参照部分画像情報、または、読み出した参照部分画像情報に基づく参照部分画像を表示部に表示させる参照画像表示制御を実施する。このことにより、表示装置は、従来のようにＰＣを接続することなく、自身が表示すべき部分画像の位置に応じた参照部分画像を表示できる。このため、マルチディスプレイシステムの設営時において、設置作業者は、各表示装置に表示された各参照部分画像を確認しながら、各表示装置を適切な位置に調整することができる。すなわち、マルチディスプレイシステムの構築をより容易に実施できる。
【００１３】
本発明の表示装置では、前記参照画像表示制御部は、当該表示装置の電源投入時において、前記参照画像表示制御を実施することが好ましい。
本発明によれば、マルチディスプレイシステムの設営時において、設置作業者は、各表示装置の電源を投入するだけで、各表示装置に自身が表示すべき部分画像の位置に応じた各参照部分画像が表示されるので、各表示装置に表示された各参照部分画像を確認しながら、各表示装置を適切な位置に迅速に調整することができる。すなわち、マルチディスプレイシステムの構築をより容易にかつ迅速に実施できる。
【００１４】
本発明の表示装置では、前記参照部分画像は、当該表示装置の設置位置を調整するための案内情報を含んで構成されていることが好ましい。
ここで、案内情報としては、例えば、自身が表示すべき部分画像の位置に応じた数字や文字に関する情報、各部分画像の少なくとも一部が重なり合う重なり領域を有して原画像を構成する場合には重なり領域を示す情報（例えば、格子状の線や色）等が採用できる。
本発明によれば、参照部分画像が案内情報を含んで構成されているので、マルチディスプレイシステムの設営時において、設置作業者は、各表示装置に表示された各参照部分画像に含まれる案内情報を認識することで、各表示装置を適切な位置に容易にかつ高精度に調整することができる。
【００１５】
本発明のマルチディスプレイシステムは、入力した原画像情報から部分画像情報を生成し、前記部分画像情報に基づく部分画像を表示する複数の表示装置を有し、前記複数の表示装置が表示する各部分画像によって前記原画像情報に基づく原画像を表示するマルチディスプレイシステムであって、前記複数の表示装置は、上述した表示装置で構成されていることを特徴とする。
本発明によれば、マルチディスプレイシステムは、上述した表示装置を備えているので、上述した表示装置と同様の作用および効果を享受できる。
【００１６】
本発明の表示方法は、入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置の表示方法であって、前記表示装置は、前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、前記原画像情報から前記部分画像情報を生成し、前記部分画像情報に基づく部分画像を表示部に表示させる制御装置とを備え、当該表示方法は、前記制御装置が、前記機械式スイッチ部の状態を検出して前記機械式スイッチ部に設定された台数情報および位置情報を認識する設定認識ステップと、前記認識した台数情報および位置情報に基づいて、前記原画像情報の少なくとも一部の画像情報を切り出して前記部分画像情報を生成する部分画像情報生成ステップとを実行することを特徴とする。
本発明の表示方法は、上述した表示装置によって実施されるものであるので、上述した表示装置と同様の作用および効果を享受できる。
【００１７】
本発明の制御プログラムは、入力した原画像情報から部分画像情報を生成し前記部分画像情報に基づく部分画像を表示する複数の表示装置を有し、前記複数の表示装置が表示する各部分画像によって前記原画像情報に基づく原画像を表示するマルチディスプレイシステムに用いられる表示装置の制御プログラムであって、前記表示装置は、前記マルチディスプレイシステムで用いられる前記複数の表示装置の台数に関する台数情報、および前記原画像内における当該表示装置が表示すべき部分画像の位置に関する位置情報を機械的に設定可能とする機械式スイッチ部と、前記原画像情報から前記部分画像情報を生成し、前記部分画像情報に基づく部分画像を表示部に表示させる制御装置とを備え、前記機械式スイッチ部の状態を検出して前記機械式スイッチ部に設定された台数情報および位置情報を認識する設定認識ステップと、前記認識した台数情報および位置情報に基づいて、前記原画像情報の少なくとも一部の画像情報を切り出して前記部分画像情報を生成する部分画像情報生成ステップとを前記制御装置に実行させることを特徴とする。
【００１８】
本発明の記録媒体は、上述した制御プログラムがコンピュータに読取可能に記録されていることを特徴とする。
【００１９】
以上のような構成の制御プログラムおよび記録媒体は、上述した表示方法を実施するために利用されるので、上述した表示方法と同様の作用および効果を享受できる。
また、上述した制御プログラムを記録媒体に記録させるので、プログラムの取り扱いが容易となる。
【発明を実施するための最良の形態】
【００２０】
[第１実施形態]
以下、本発明の第１実施形態を図面に基づいて説明する。
〔マルチディスプレイシステムの全体構成〕
図１は、マルチディスプレイシステム１の構成を示す図である。
マルチディスプレイシステム１は、複数の表示装置にて表示される各部分画像によって
、高輝度、高解像度、および大画面の画像（原画像）を表示するシステムである。このマルチディスプレイシステム１は、図１に示すように、画像出力装置２と、画像信号分配器３と、表示装置としての複数のプロジェクタ４（本実施形態では、縦方向２台×横方向２台（「２×２」）の４台のプロジェクタ４Ａ，４Ｂ，４Ｃ，４Ｄ）とで構成される。
【００２１】
画像出力装置２は、マルチディスプレイシステム１を利用して、画像（原画像）を表示させるための原画像情報としての画像信号を出力する装置である。この画像出力装置２としては、種々の機器を用いることができ、例えば、パーソナルコンピュータ、テレビジョンチューナ、ＤＶＤ(Digital Versatile Disc)プレーヤ等が例示できる。
画像信号分配器３は、画像出力装置２と信号線Ｓ１を介して接続し、画像出力装置２から出力され信号線Ｓ１を介して入力した画像信号を各プロジェクタ４に並列に出力する装置である。この画像信号分配器３としては、例えば、パーソナルコンピュータ等の画像出力装置２から出力された画像信号を、信号レベルを保持するためのビデオバッファアンプを介して各プロジェクタ４に並列に出力する汎用の画像信号分配器を用いることができる。
【００２２】
図２は、プロジェクタ４の構成を示すブロック図である。
各プロジェクタ４は、図１に示すように、画像信号分配器３と信号線Ｓ２，Ｓ３，Ｓ４，Ｓ５を介してそれぞれ接続する。そして、プロジェクタ４は、画像信号分配器３から出力され各信号線Ｓ２〜Ｓ５を介して入力した画像信号に対して所定の画像処理を施し、画像処理を施した画像信号に基づいて、光源から射出された光束を光学的に処理して画像光を形成し、スクリーンＳｃに拡大投射する。
ここで、スクリーンＳｃは、具体的な図示は省略するが、本実施形態では、入射した画像光を透過して投影する透過型スクリーンを採用している。なお、スクリーンＳｃとしては、入射した画像光を反射して投影する反射型スクリーンで構成しても構わない。
【００２３】
すなわち、図１では、４つのプロジェクタ４Ａ〜４Ｄのうち、プロジェクタ４Ａは、スクリーンＳｃを背面側（視聴者側とは反対側）から見て左上部分に画像光（部分画像）を拡大投射している。プロジェクタ４Ｂは、スクリーンＳｃを背面側から見て右上部分に画像光（部分画像）を拡大投射している。プロジェクタ４Ｃは、スクリーンＳｃを背面側から見て左下部分に画像光（部分画像）を拡大投射している。プロジェクタ４Ｄは、スクリーンＳｃを背面側から見て右下部分に画像光（部分画像）を拡大投射している。
なお、本実施形態では、図１に示すように、各プロジェクタ４Ａ〜４Ｄから拡大投射した画像光（部分画像）の一部を重ね合わせることで原画像を構成するものとしている。
また、本実施形態では、４つのプロジェクタ４Ａ〜４Ｄの構成は同一の構成とし、以下では、１つのみのプロジェクタ４を説明する。このプロジェクタ４は、図２に示すように、表示部としての画像投射部４１と、機械式スイッチ部４２と、制御装置４３とで大略構成されている。
【００２４】
画像投射部４１は、制御装置４３による制御の下、画像光を形成してスクリーンＳｃに拡大投射する。この画像投射部４１は、図２に示すように、光源装置４１１と、光変調素子としての液晶ライトバルブ４１２と、投射光学系４１３等を備える。
光源装置４１１は、制御装置４３による制御の下、光束を液晶ライトバルブ４１２に向けて射出する。この光源装置４１１は、光源ランプ４１１１と、光源駆動部４１１２とを備える。
【００２５】
光源ランプ４１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種自己発光素
子を採用してもよい。
光源駆動部４１１２は、制御装置４３による制御の下、所定の駆動電圧で光源ランプ４１１１を駆動する。
【００２６】
液晶ライトバルブ４１２は、透過型の液晶パネルであり、制御装置４３からの駆動信号に基づいて、液晶セル（図示略）に封入された液晶分子の配列を変化させ、光源ランプ４１１１から射出された光束を、透過若しくは遮断することにより駆動信号に応じた画像光を投射光学系４１３に射出する。
投射光学系４１３は、液晶ライトバルブ４１２から射出された画像光をスクリーンＳｃに向けて拡大投射する。
【００２７】
なお、図示は省略したが、プロジェクタ４は、ＲＧＢの３色に対応する３枚の液晶ライトバルブ４１２を備えている。また、光源装置４１１は、光源光を３色の光に分離する色分離光学系を備えている。さらに、投射光学系４１３は、３色の画像光を合成してカラー画像を表す画像光を生成する色合成光学系を有している。なお、このような光学系の構成については、種々の一般的なプロジェクタの光学系の構成が利用可能である。
【００２８】
図３および図４は、機械式スイッチ部４２の構成を示す図である。
機械式スイッチ部４２は、マルチディスプレイシステム１に用いる全てのプロジェクタ４の台数に関する台数情報、および、原画像内における自身のプロジェクタ４が表示すべき部分画像の位置に関する位置情報を機械的に設定可能とするスイッチである。この機械式スイッチ部４２は、図２ないし図４に示すように、台数設定部４２１と、ＰＪ番号設定部４２２とを備える。
【００２９】
台数設定部４２１は、図３または図４に示すように、プロジェクタ４の外装筺体４４に露出して設けられるスライドスイッチで構成されている。そして、台数設定部４２１をスライドさせて、外装筺体４４に形成された「１」、「２」、「３」、「４」、「５」の数字位置にスイッチトップ４２１Ａを位置付けることで、マルチディスプレイシステム１に用いる全てのプロジェクタ４の台数に関する台数情報が設定される。より具体的に、スイッチトップ４２１Ａを外装筺体４４に形成された「１」の数字位置に位置付けることで、用いる全てのプロジェクタ４の台数が縦方向１台×横方向１台（「１×１」）の１台のみである旨の台数情報が設定される。また、スイッチトップ４２１Ａを外装筺体４４に形成された「２」の数字位置に位置付けることで、用いる全てのプロジェクタ４の台数が「２×２」の４台である旨の台数情報が設定される。また、スイッチトップ４２１Ａを外装筺体４４に形成された「３」の数字位置に位置付けることで、用いる全てのプロジェクタ４の台数が「３×３」の９台である旨の台数情報が設定される。また、スイッチトップ４２１Ａを外装筺体４４に形成された「４」の数字位置に位置付けることで、用いる全てのプロジェクタ４の台数が「４×４」の１６台である旨の台数情報が設定される。また、スイッチトップ４２１Ａを外装筺体４４に形成された「５」の数字位置に位置付けることで、用いる全てのプロジェクタ４の台数が「５×５」の２５台である旨の台数情報が設定される。
【００３０】
本実施形態では、上述したように、縦方向２台×横方向２台の４台のプロジェクタ４Ａ〜４Ｄを用いるので、台数設定部４２１は、図３に示すように、外装筺体４４に形成された「２」の数字位置にスイッチトップ４２１Ａが位置付けられている。なお、例えば、縦方向４台×横方向４台の１６台のプロジェクタ４を用いる場合には、図４に示すように、スイッチトップ４２１Ａを外装筺体４４に形成された「４」の数字位置に位置付ければよい。
【００３１】
ＰＪ番号設定部４２２は、図３または図４に示すように、プロジェクタ４の外装筺体４
４に露出して設けられるディップスイッチ（本実施形態では、５個のスイッチが並べられたディップスイッチ）で構成されている。そして、ＰＪ番号設定部４２２は、各スイッチ４２２Ａ，４２２Ｂ，４２２Ｃ，４２２Ｄ，４２２ＥをＯＮ状態またはＯＦＦ状態とする（外装筺体４４に形成された「１」または「０」の数字位置に位置付ける）ことで、表示する原画像内における自身のプロジェクタ４が表示すべき部分画像の位置に関する位置情報が設定される。本実施形態では、ＰＪ番号設定部４２２は、２進数のコードで位置情報を設定可能に構成されている。例えば、本実施形態において、スクリーンＳｃを背面側から見て左下部分に画像光を拡大投射するプロジェクタ４Ｃ（図３中、「２×２」の３番目の位置に配設されるプロジェクタ４Ｃ）の位置情報を設定する場合には、図３に示すように、スイッチ４２２Ａ，４２２ＢをＯＮ状態、スイッチ４２２Ｃ〜４２２ＥをＯＦＦ状態とする。すなわち、ＰＪ番号設定部４２２には、「00011」の２進数のコード、すなわち、「３」の位置情報が設定される。なお、例えば、図４に示すように、「４×４」の１６台のプロジェクタ４を用いる場合で、「４×４」の１１番目の位置に配設されるプロジェクタの位置情報を設定する場合には、スイッチ４２２Ａ，４２２Ｂ，４２２ＤをＯＮ状態、スイッチ４２２Ｃ，４２２ＥをＯＦＦ状態とすればよい。すなわち、ＰＪ番号設定部４２２には、「01011」の２進数のコード、すなわち、「１１」の位置情報が設定される。
【００３２】
制御装置４３は、ＣＰＵ(Central Processing Unit)等を含んで構成され、メモリ４３３に記憶された制御プログラムにしたがって、プロジェクタ４全体を制御する部分である。なお、制御装置４３の構成としては、入力した画像信号の処理機能を主に説明し、その他の機能については説明を省略する。この制御装置４３は、図２に示すように、信号処理部４３１と、スイッチ認識部４３２と、メモリ４３３と、表示制御部４３４等を備える。これら各構成要素４３１〜４３４は、図示しないバスにより接続され、必要な情報が伝送可能に構成されている。
【００３３】
信号処理部４３１は、画像入力端子４３１Ａ（図１）を介して画像信号分配器３等から入力した画像信号を、表示制御部４３４にて読み取り可能な信号（デジタル信号）に変換して出力する。
スイッチ認識部４３２は、機械式スイッチ部４２と電気的に接続し、機械式スイッチ部４２の状態を検出して機械式スイッチ部４２に設定された台数情報および位置情報を認識する。そして、スイッチ認識部４３２は、認識した台数情報および位置情報に応じた信号を適宜、表示制御部４３４に出力する。
【００３４】
メモリ４３３は、制御装置４３にて各種処理を実行するための制御プログラム、各種処理に必要な情報、処理された情報等を記憶する。このメモリ４３３は、図２に示すように、処理条件記憶部４３３１と、参照画像情報記憶部４３３２等を備える。
処理条件記憶部４３３１は、表示制御部４３４にて実施される部分画像データ生成処理に必要な処理条件に関する各処理条件パラメータを記憶する。ここで、処理条件パラメータは、信号処理部４３１を介して入力した画像信号（原画像情報としての原画像データ）から部分画像データ（部分画像情報）を生成するための処理条件に関する情報である。そして、処理条件記憶部４３３１は、機械式スイッチ部４２に設定される各台数情報（「１×１」、「２×２」、「３×３」、「４×４」、「５×５」）および各位置情報（例えば、１〜２５）と各処理条件パラメータとを関連付けて（例えば、台数情報「１×１」および位置情報「１」と所定の処理条件パラメータとを関連付け、台数情報「２×２」および位置情報「１」と所定の処理条件パラメータとを関連付け、台数情報「２×２」および位置情報「２」と所定の処理条件パラメータとを関連付け、・・・台数情報「５×５」および位置情報「２５」と所定の処理条件パラメータとを関連付けて）記憶する。例えば、処理条件記憶部４３３１は、複数の情報を区画するデータテーブルを有し、台数情報および位置情報毎に各処理条件パラメータをデータテーブルの各区画に対応させて記憶する構成が例示できる。
【００３５】
参照画像情報記憶部４３３２は、マルチディスプレイシステム１の設営時、すなわち、各プロジェクタ４Ａ〜４Ｄを所定の設置位置にそれぞれ調整する際に用いられる各参照部分画像に関する各参照部分画像データ（参照部分画像情報）を記憶する部分である。これら各参照部分画像データは、所定の原画像データを、用いるプロジェクタの台数（台数情報）に対応させて切り出した部分画像データである。また、各参照部分画像データは、具体的には後述するが、各プロジェクタ４Ａ〜４Ｄの設置位置を調整するための各案内データを含んで構成されている。そして、参照画像情報記憶部４３３２は、機械式スイッチ部４２に設定される各台数情報および各位置情報と各参照部分画像データとを関連付けて（例えば、台数情報「１×１」および位置情報「１」と所定の参照部分画像データとを関連付け、台数情報「２×２」および位置情報「１」と所定の参照部分画像データとを関連付け、台数情報「２×２」および位置情報「２」と所定の参照部分画像データとを関連付け、・・・、台数情報「５×５」および位置情報「２５」と所定の参照部分画像データとを関連付けて）記憶する。例えば、参照画像情報記憶部４３３２は、複数の情報を区画するデータテーブルを有し、台数情報および位置情報毎に各参照画像データをデータテーブルの各区画に対応させて記憶する構成が例示できる。
【００３６】
表示制御部４３４は、液晶ライトバルブ４１２の駆動制御を実施する部分である。より具体的に、表示制御部４３４は、信号処理部４３１を介して入力した画像信号（原画像データ）に対して所定の処理を施して部分画像データを生成し、部分画像データに応じた駆動信号を液晶ライトバルブ４１２に出力することで部分画像データに基づく部分画像（画像光）を液晶ライトバルブ４１２に形成させる。この表示制御部４３４は、図２に示すように、画像データ処理部４３４１と、参照画像表示制御部４３４２と、パネル駆動部４３４３と、同期制御部４３４４等を備える。
【００３７】
画像データ処理部４３４１は、信号処理部４３１を介して入力したデジタルの原画像データから部分画像データを生成する部分画像データ生成処理、ガンマ補正等適宜必要な画像データ補正処理等の各種の画像データ処理を実施する。この画像データ処理部４３４１は、図２に示すように、部分画像情報生成部４３４１Ａと、画像補正部４３４１Ｂ等を備える。なお、具体的な図示は省略したが、画像データ処理部４３４１は、上述した画像データ処理を実施する際の記憶領域として図示しない画像データ記憶部を有している。この画像データ記憶部は、信号処理部４３１を介して入力した原画像データをバッファリングする部分であり、例えば、１画面分の原画像データを全て記憶するフレームバッファや、水平方向の１ライン分の走査データを記憶するラインバッファ等を採用できる。
【００３８】
部分画像情報生成部４３４１Ａは、スイッチ認識部４３２にて認識された台数情報および位置情報に関連付けられた処理条件パラメータを処理条件記憶部４３３１から読み出し、読み出した処理条件パラメータを用いて、原画像データから所定領域の画像データを切り出す画像データ切出処理と、切り出された所定領域の画像データの画像サイズを変換する画像サイズ変換処理とを実施して、部分画像データを生成する（部分画像データ生成処理）。
画像補正部４３４１Ｂは、部分画像情報生成部４３４１Ａにて生成された部分画像データに対して、メモリ４３３に記憶された画像補正パラメータを用いて、ガンマ補正等適宜必要な画像データ補正処理を実施する。
【００３９】
参照画像表示制御部４３４２は、プロジェクタ４の電源投入時（起動時）において、スイッチ認識部４３２にて認識された台数情報および位置情報に関連付けられた参照部分画像データを参照画像情報記憶部４３３２から読み出し、読み出した参照部分画像データに基づく参照部分画像を液晶ライトバルブ４１２に形成させる参照画像表示制御を実施する。
【００４０】
パネル駆動部４３４３は、画像データ処理部４３４１にて生成された部分画像データから液晶ライトバルブ４１２を駆動するための駆動信号を生成し、液晶ライトバルブ４１２に駆動信号を出力することで、液晶ライトバルブ４１２に部分画像（画像光）を形成させる。また、パネル駆動部４３４３は、参照画像表示制御部４３４２にて読み出された参照部分画像データから液晶ライトバルブ４１２を駆動するための駆動信号を生成し、液晶ライトバルブ４１２に駆動信号を出力することで、液晶ライトバルブ４１２に参照部分画像（画像光）を形成させる。
【００４１】
同期制御部４３４４は、信号処理部４３１を介して入力した原画像データが有する同期信号を基準に上述した各種画像データ処理および表示制御を実施させる同期制御を実施する。すなわち、この同期制御部４３４４により、同期制御を実施することで、各プロジェクタ４（４Ａ〜４Ｄ）での表示タイミングがばらつくことを防止している。
【００４２】
〔マルチディスプレイシステムの動作〕
次に、上述したマルチディスプレイシステム１の動作について図面を参照して説明する。
なお、以下では、マルチディスプレイシステム１の動作のうち、プロジェクタ４の動作を主に説明し、画像出力装置２および画像信号分配器３の動作については説明を省略する。また、以下では、先ず、マルチディスプレイシステム１の設営時におけるプロジェクタ４の動作を説明し、次に、マルチディスプレイシステム１を利用したプロジェクタ４の動作（タイリング表示動作）を説明する。
【００４３】
〔設営時でのプロジェクタの動作〕
図５は、マルチディスプレイシステム１の設営時におけるプロジェクタ４の動作を説明するフローチャートである。
図６は、マルチディスプレイシステム１の設営時におけるプロジェクタ４の動作を説明するための図である。具体的に、図６は、タイリング表示を実施する場合での参照部分画像Ｆ１，Ｆ２，Ｆ３，Ｆ４の一例を示す図である。なお、図６中、中央部分の画像は、タイリング表示された、すなわち、参照部分画像Ｆ１，Ｆ２，Ｆ３，Ｆ４を並べた状態の参照原画像を示している。
なお、以下では、各プロジェクタ４Ａ〜４Ｄは、画像信号分配器３と信号線Ｓ２〜Ｓ５を介して接続していない状態とする。また、各プロジェクタ４Ａ〜４Ｄの各機械式スイッチ部４２には、予め、マルチディスプレイシステム１の設置作業者により、以下に示すような台数情報および位置情報が設定されているものとする。
すなわち、各プロジェクタ４Ａ〜４Ｄの各台数設定部４２１は、スイッチトップ４２１Ａが外装筺体４４に形成された「２」の数字位置に位置付けられている。
また、プロジェクタ４ＡのＰＪ番号設定部４２２は、スイッチ４２２ＡがＯＮ状態に設定され、各スイッチ４２２Ｂ〜４２２ＥがＯＦＦ状態に設定されている。プロジェクタ４ＢのＰＪ番号設定部４２２は、スイッチ４２２ＢがＯＮ状態に設定され、各スイッチ４２２Ａ，４２２Ｃ〜４２２ＥがＯＦＦ状態に設定されている。プロジェクタ４ＣのＰＪ番号設定部４２２は、スイッチ部４２２Ａ，４２２ＢがＯＮ状態に設定され、各スイッチ４２２Ｃ〜４２２ＥがＯＦＦ状態に設定されている。プロジェクタ４ＤのＰＪ番号設定部４２２は、スイッチ部４２２ＣがＯＮ状態に設定され、各スイッチ４２２Ａ，４２２Ｂ，４２２Ｄ，４２２ＥがＯＦＦ状態に設定されている。
【００４４】
先ず、設置作業者による各プロジェクタ４Ａ〜４Ｄの図示しない各操作パネルの「プロジェクタの電源をＯＮする」旨の操作により、前記各操作パネルから各制御装置４３に電源ＯＮ信号が出力される。そして、制御装置４３は、電源ＯＮ信号の入力に応じて、メモリ４３３に記憶された制御プログラムを読み出し、該制御プログラムにしたがって、以下
の処理を実行する。
【００４５】
すなわち、制御装置４３は、光源装置４１１を駆動制御し、光源ランプ４１１１を点灯させる（ステップＳＴ１）。
ステップＳＴ１の後、制御装置４３のスイッチ認識部４３２は、台数設定部４２１およびＰＪ番号設定部４２２の状態を検出し、台数設定部４２１に設定された台数情報、およびＰＪ番号設定部４２２に設定された位置情報をそれぞれ認識する（ステップＳＴ２）。そして、スイッチ認識部４３２は、認識した台数情報および位置情報に応じた信号を表示制御部４３４に出力する。
【００４６】
より具体的に、プロジェクタ４Ａ〜４Ｄを構成する各スイッチ認識部４３２は、台数設定部４２１のスイッチトップ４２１Ａが外装筺体４４に形成された「２」の位置に位置付けられている状態を検出し、用いる全てのプロジェクタ４の台数が「２×２」の４台である旨の台数情報をそれぞれ認識する。また、プロジェクタ４Ａを構成するスイッチ認識部４３２は、ＰＪ番号設定部４２２の上述した設定による「00001」の２進数のコード、すなわち、「１」の位置情報を認識する。プロジェクタ４Ｂを構成するスイッチ認識部４３２は、ＰＪ番号設定部４２２の上述した設定による「00010」の２進数のコード、すなわち、「２」の位置情報を認識する。プロジェクタ４Ｃを構成するスイッチ認識部４３２は、ＰＪ番号設定部４２２の上述した設定による「00011」の２進数のコード、すなわち、「３」の位置情報を認識する。プロジェクタ４Ｄを構成するスイッチ認識部４３２は、ＰＪ番号設定部４２２の上述した設定による「00100」の２進数のコード、すなわち、「４」の位置情報を認識する。
【００４７】
ステップＳＴ２の後、制御装置４３の参照画像表示制御部４３４２は、スイッチ認識部４３２にて認識された台数情報および位置情報に関連付けられた参照部分画像データを参照画像情報記憶部４３３２から読み出す。そして、参照画像表示制御部４３４２は、パネル駆動部４３４３に参照部分画像データに応じた駆動信号を生成させて液晶ライトバルブ４１２に出力させ、読み出した参照部分画像データに基づく参照部分画像を液晶ライトバルブ４１２に形成させる参照画像表示制御を実施する（ステップＳＴ３）。
【００４８】
より具体的に、ステップＳＴ３において、プロジェクタ４Ａでは、参照画像表示制御部４３４２が、スイッチ認識部４３２にて認識された台数情報および位置情報（４台中の１番目）に関連付けられた参照部分画像データを参照画像情報記憶部４３３２から読み出し、参照画像表示制御を実施することで、図６に示すように、プロジェクタ４Ａから前記参照部分画像データに応じた参照部分画像Ｆ１が拡大投射されスクリーンＳｃ上に表示される。プロジェクタ４Ｂでは、参照画像表示制御部４３４２が、スイッチ認識部４３２にて認識された台数情報および位置情報（４台中の２番目）に関連付けられた参照部分画像データを参照画像情報記憶部４３３２から読み出し、参照画像表示制御を実施することで、図６に示すように、プロジェクタ４Ｂから前記参照部分画像データに応じた参照部分画像Ｆ２が拡大投射されスクリーンＳｃ上に表示される。プロジェクタ４Ｃでは、参照画像表示制御部４３４２が、スイッチ認識部４３２にて認識された台数情報および位置情報（４台中の３番目）に関連付けられた参照部分画像データを参照画像情報記憶部４３３２から読み出し、参照画像表示制御を実施することで、図６に示すように、プロジェクタ４Ｃから前記参照部分画像データに応じた参照部分画像Ｆ３が拡大投射されスクリーンＳｃ上に表示される。プロジェクタ４Ｄでは、参照画像表示制御部４３４２が、スイッチ認識部４３２にて認識された台数情報および位置情報（４台中の４番目）に関連付けられた参照部分画像データを参照画像情報記憶部４３３２から読み出し、参照画像表示制御を実施することで、図６に示すように、プロジェクタ４Ｄから前記参照部分画像データに応じた参照部分画像Ｆ４が拡大投射されスクリーンＳｃ上に表示される。
【００４９】
なお、本実施形態では、図６に示すように、各参照部分画像Ｆ１〜Ｆ４が同一の画像として構成されている。
ここで、各参照部分画像Ｆ１〜Ｆ４は、上述した案内データに基づく案内情報を含んだ画像で構成されている。より具体的に、各参照部分画像Ｆ１〜Ｆ４は、隣接する参照部分画像が重なり合う重なり領域を示す情報を含んだ画像で構成されている。すなわち、各参照部分画像Ｆ１〜Ｆ４は、図６に示すように、縦横に延びる格子状の線Ｆ１Ａ，Ｆ２Ａ，Ｆ３Ａ，Ｆ４Ａを有する。本実施形態では、線Ｆ１Ａ，Ｆ２Ａ，Ｆ３Ａ，Ｆ４Ａは、図６に示すように、縦方向に７本、横方向に７本で構成されている。また、各参照部分画像Ｆ１〜Ｆ４は、図６に示すように、線Ｆ１Ａ，Ｆ２Ａ，Ｆ３Ａ，Ｆ４Ａにて区画された各領域のうち重なり領域に対応する領域の色と他の領域の色とが異なるように形成されている。すなわち、図６に示すように、線Ｆ１Ａ，Ｆ２Ａ，Ｆ３Ａ，Ｆ４Ａにて区画された各領域Ｆ１Ｂ，Ｆ２Ｂ，Ｆ３Ｂ，Ｆ４Ｂのうち、四隅の各角部分に対応する領域Ｆ１Ｂ１〜Ｆ１Ｂ４，Ｆ２Ｂ１〜Ｆ２Ｂ４，Ｆ３Ｂ１〜Ｆ３Ｂ４，Ｆ４Ｂ１〜Ｆ４Ｂ４（各４個の区画分）の色が黒に設定され、四隅の各角部分間の辺縁に沿う領域Ｆ１Ｂ５〜Ｆ１Ｂ８，Ｆ２Ｂ５〜Ｆ２Ｂ８，Ｆ３Ｂ５〜Ｆ３Ｂ８，Ｆ４Ｂ５〜Ｆ４Ｂ８（各８個の区画分）の色がグレーに設定され、中心に位置する領域Ｆ１Ｂ９，Ｆ２Ｂ９，Ｆ３Ｂ９，Ｆ４Ｂ９（各１６個の区画分）の色が白に設定されている。
すなわち、各参照部分画像データには、上述した線Ｆ１Ａ，Ｆ２Ａ，Ｆ３Ａ，Ｆ４Ａに関するデータや、各領域Ｆ１Ｂ，Ｆ２Ｂ，Ｆ３Ｂ，Ｆ４Ｂの色に関するデータ等の案内データを含んで構成されている。
【００５０】
そして、以上のような状態において、設置作業者は、各参照部分画像Ｆ１〜Ｆ４を確認しながら、すなわち、上述した各線Ｆ１Ａ，Ｆ２Ａ，Ｆ３Ａ，Ｆ４Ａや各領域Ｆ１Ｂ，Ｆ２Ｂ，Ｆ３Ｂ，Ｆ４Ｂを確認しながら、各プロジェクタ４Ａ〜４Ｄを設置する。
例えば、プロジェクタ４Ａを所定位置に位置付ける。次に、プロジェクタ４Ａにて拡大投射された参照部分画像Ｆ１の各領域Ｆ１Ｂ２，Ｆ１Ｂ４，Ｆ１Ｂ６に、プロジェクタ４Ｂにて拡大投射された参照部分画像Ｆ２の各領域Ｆ２Ｂ１，Ｆ２Ｂ３，Ｆ２Ｂ８がそれぞれ合致するように、プロジェクタ４Ｂを位置付ける。次に、参照部分画像Ｆ１の各領域Ｆ１Ｂ３，Ｆ１Ｂ４，Ｆ１Ｂ７にプロジェクタ４Ｃにて拡大投射された参照部分画像Ｆ３の各領域Ｆ３Ｂ１，Ｆ３Ｂ２，Ｆ３Ｂ５がそれぞれ合致し、かつ、参照部分画像Ｆ２の領域Ｆ２Ｂ３に参照部分画像Ｆ３の領域Ｆ３Ｂ２が合致するように、プロジェクタ４Ｃを位置付ける。最後に、参照部分画像Ｆ２の各領域Ｆ２Ｂ３，Ｆ２Ｂ４，Ｆ２Ｂ７にプロジェクタ４Ｄにて拡大投射された参照部分画像Ｆ４の各領域Ｆ４Ｂ１，Ｆ４Ｂ２，Ｆ４Ｂ５がそれぞれ合致し、かつ、参照部分画像Ｆ３の各領域Ｆ３Ｂ２，Ｆ３Ｂ４，Ｆ３Ｂ６に参照部分画像Ｆ４の各領域Ｆ４Ｂ１，Ｆ４Ｂ３，Ｆ４Ｂ８がそれぞれ合致するように、プロジェクタ４Ｄを位置付ける。
【００５１】
〔タイリング表示動作〕
図７は、プロジェクタ４のタイリング表示動作を説明するフローチャートである。
図８は、プロジェクタ４のタイリング表示動作を説明するための図である。
なお、以下では、各プロジェクタ４Ａ〜４Ｄは、上述した設営時でのプロジェクタの動作で説明した設置位置に位置付けられているものとする。また、画像出力装置２、画像信号分配器３、および各プロジェクタ４Ａ〜４Ｄは、設置作業者により、信号線Ｓ１〜Ｓ５により接続された状態とする。また、各プロジェクタ４Ａ〜４Ｄの各機械式スイッチ部４２の設定状態は、上述した設営時でのプロジェクタの動作で説明した状態と同一の状態のままである。さらに、画像信号分配器３から各プロジェクタ４Ａ〜４Ｄに出力される画像信号は、共通のものとする。
【００５２】
先ず、制御装置４３のスイッチ認識部４３２は、台数設定部４２１およびＰＪ番号設定部４２２の状態を検出し、台数設定部４２１に設定された台数情報、およびＰＪ番号設定
部４２２に設定された位置情報をそれぞれ認識する（ステップＳＴ１１：設定認識ステップ）。すなわち、各プロジェクタ４Ａ〜４Ｄを構成する各スイッチ認識部４３２は、上述したステップＳＴ２と同様に、台数設定部４２１のスイッチトップ４２１Ａが外装筐体４４に形成された「２」の位置に位置付けられている状態を検出し、用いる全てのプロジェクタ４の台数が「２×２」の４台である旨の台数情報をそれぞれ認識する。また、プロジェクタ４Ａを構成するスイッチ認識部４３２は、ＰＪ番号設定部４２２の上述した設定により、「１」の位置情報を認識する。プロジェクタ４Ｂを構成するスイッチ認識部４３２は、ＰＪ番号設定部４２２の上述した設定により、「２」の位置情報を認識する。プロジェクタ４Ｃを構成するスイッチ認識部４３２は、ＰＪ番号設定部４２２の上述した設定により、「３」の位置情報を認識する。プロジェクタ４Ｄを構成するスイッチ認識部４３２は、ＰＪ番号設定部４２２の上述した設定により、「４」の位置情報を認識する。
【００５３】
ステップＳＴ１１の後、部分画像情報生成部４３４１Ａは、スイッチ認識部４３２にて認識された台数情報および位置情報に関連付けられた処理条件パラメータを処理条件記憶部４３３１から読み出す。そして、部分画像情報生成部４３４１Ａは、読み出した処理条件パラメータを用いて、原画像データに対して、画像データ切出処理（ステップＳＴ１２）、および画像サイズ変換処理（ステップＳＴ１３）とを実施して、部分画像データを生成する（ステップＳＴ１４）。すなわち、ステップＳＴ１２〜ＳＴ１４は、本発明に係る部分画像情報生成ステップに相当する。
【００５４】
ここで、処理条件パラメータとしては、図８に示すように、原画像データにおける部分画像データの範囲の始点位置に関する始点座標と、拡大率とで構成された情報が例示できる。なお、始点座標は、切出開始位置として、例えば、切り出す矩形領域の左上部を指定するための座標Ｐ（例えば、Ｐ１，Ｐ２，Ｐ３，Ｐ４）である。また、拡大率は、切り出された画像データの拡大範囲を定めるもので、図８に示すように、原画像データＤ０の水平解像度をＷ、垂直解像度をＨ、切り出す矩形領域の水平解像度をｗ、垂直解像度をｈとすると、拡大率Ｚは、Ｚ＝Ｗ／ｗ＝Ｈ／ｈと表すことができる。なお、本実施形態では、原画像データのアスペクト比と、切り出す矩形領域のアスペクト比とが同一であるものとしている。また、拡大率Ｚ（Ｚ１，Ｚ２，Ｚ３，Ｚ４）＝1.75としている。
【００５５】
より具体的に、プロジェクタ４Ａの部分画像情報生成部４３４１Ａは、以下に示すように、ステップＳＴ１２〜ＳＴ１４を実施することで、部分画像データＤ１（図８）を生成する。
すなわち、ステップＳＴ１２において、部分画像情報生成部４３４１Ａは、スイッチ認識部４３２にて認識された台数情報および位置情報（４台中の１番目）に関連付けられた処理条件パラメータである始点座標Ｐ１（０、０）、および拡大率Ｚ１（図８）を処理条件記憶部４３３１から読み出し、読み出した始点座標Ｐ１および拡大率Ｚ１に基づいて、終点座標Ｑ１（Ｗ／1.75、Ｈ／1.75）を算出する。そして、部分画像情報生成部４３４１Ａは、原画像データＤ０から読み出した始点座標Ｐ１、および算出した終点座標Ｑ１で設定される切出範囲の画像データＤ１Ａを切り出す。この後、ステップＳＴ１３において、部分画像情報生成部４３４１Ａは、切り出した画像データＤ１Ａに対して、読み出した拡大率Ｚ１で拡大を実施することで、ステップＳＴ１４において、部分画像データＤ１を生成する。
【００５６】
また、プロジェクタ４Ｂの部分画像情報生成部４３４１Ａは、以下に示すように、ステップＳＴ１２〜Ｓ１４を実施することで、部分画像データＤ２（図８）を生成する。
すなわち、ステップＳＴ１２において、部分画像情報生成部４３４１Ａは、スイッチ認識部４３２にて認識された台数情報および位置情報（４台中の２番目）に関連付けられた処理条件パラメータである始点座標Ｐ２（Ｗ−Ｗ／1.75、０）、および拡大率Ｚ２（図８）を処理条件記憶部４３３１から読み出し、読み出した始点座標Ｐ２および拡大率Ｚ２に
基づいて、終点座標Ｑ２（Ｗ、Ｈ／1.75）を算出する。そして、部分画像情報生成部４３４１Ａは、原画像データＤ０から読み出した始点座標Ｐ２、および算出した終点座標Ｑ２で設定される切出範囲の画像データＤ２Ａを切り出す。この後、ステップＳＴ１３において、部分画像情報生成部４３４１Ａは、切り出した画像データＤ２Ａに対して、読み出した拡大率Ｚ２で拡大を実施することで、ステップＳＴ１４において、部分画像データＤ２を生成する。
【００５７】
また、プロジェクタ４Ｃの部分画像情報生成部４３４１Ａは、以下に示すように、ステップＳＴ１２〜ＳＴ１４を実施することで、部分画像データＤ３（図８）を生成する。
すなわち、ステップＳＴ１２において、部分画像情報生成部４３４１Ａは、スイッチ認識部４３２にて認識された台数情報および位置情報（４台中の３番目）に関連付けられた処理条件パラメータである始点座標Ｐ３（０、Ｈ−Ｈ／1.75）、および拡大率Ｚ３（図８）を処理条件記憶部４３３１から読み出し、読み出した始点座標Ｐ３および拡大率Ｚ３に基づいて、終点座標Ｑ３（Ｗ／1.75、Ｈ）を算出する。そして、部分画像情報生成部４３４１Ａは、原画像データＤ０から読み出した始点座標Ｐ３、および算出した終点座標Ｑ３で設定される切出範囲の画像データＤ３Ａを切り出す。この後、ステップＳＴ１３において、部分画像情報生成部４３４１Ａは、切り出した画像データＤ３Ａに対して、読み出した拡大率Ｚ３で拡大を実施することで、ステップＳＴ１４において、部分画像データＤ３を生成する。
【００５８】
また、プロジェクタ４Ｄの部分画像情報生成部４３４１Ａは、以下に示すように、ステップＳＴ１２〜ＳＴ１４を実施することで、部分画像データＤ４（図８）を生成する。
すなわち、ステップＳＴ１２において、部分画像情報生成部４３４１Ａは、スイッチ認識部４３２にて認識された台数情報および位置情報（４台中の４番目）に関連付けられた処理条件パラメータである始点座標Ｐ４（Ｗ−Ｗ／1.75、Ｈ−Ｈ／1.75）、および拡大率Ｚ４（図８）を処理条件記憶部４３３１から読み出し、読み出した始点座標Ｐ４および拡大率Ｚ４に基づいて、終点座標Ｑ４（Ｗ、Ｈ）を算出する。そして、部分画像情報生成部４３４１Ａは、原画像データＤ０から読み出した始点座標Ｐ４、および算出した終点座標Ｑ４で設定される切出範囲の画像データＤ４Ａを切り出す。この後、ステップＳＴ１３において、部分画像情報生成部４３４１Ａは、切り出した画像データＤ４Ａに対して、読み出した拡大率Ｚ４で拡大を実施することで、ステップＳＴ１４において、部分画像データＤ４を生成する。
【００５９】
ステップＳＴ１４の後、生成された部分画像データに対して画像補正部４３４１Ｂにて画像データ補正処理が実施される（ステップＳＴ１５）。
ステップＳＴ１５の後、パネル駆動部４３４３は、画像データ補正処理が実施された部分画像データに応じた駆動信号を生成し、液晶ライトバルブ４１２に出力し、液晶ライトバルブ４１２に部分画像データＤ１〜Ｄ４に応じた各部分画像を形成させる。そして、各プロジェクタ４Ａ〜４Ｄから各部分画像が拡大投射されスクリーンＳｃ上に投影されることで、原画像データＤ０に応じた原画像が表示される（ステップＳＴ１６）。
【００６０】
上述した第１実施形態によれば、以下の効果がある。
本実施形態では、プロジェクタ４が機械式スイッチ部４２を備えているので、マルチディスプレイシステム１を設営する設置作業者は、従来のようにＰＣや各プロジェクタをカスケード接続することなく、すなわち、ＰＣを用いることなく、用いるプロジェクタ４の台数に関する台数情報、および設定対象となるプロジェクタが表示すべき部分画像の位置に関する位置情報を機械式スイッチ部４２に設定できる。また、台数情報および位置情報を設定する部分が機械式スイッチ部４２で構成されているので、設置作業者は、プロジェクタ４の電源を投入しなくても、台数情報および位置情報を機械式スイッチ部４２に設定できる。さらに、設置作業者は、機械式スイッチ部４２により台数情報および位置情報の
設定状態が目視にて確認できるので、該台数情報および位置情報を目視にて確認しながら、プロジェクタ４を所定位置に設置できる。
【００６１】
また、本実施形態では、プロジェクタ４を構成する制御装置４３は、処理条件記憶部４３３１、スイッチ認識部４３２、および部分画像情報生成部４３４１Ａを備えている。そして、部分画像情報生成部４３４１Ａは、処理条件記憶部４３３１に記憶された各処理条件パラメータのうち、スイッチ認識部４３２にて認識された台数情報および位置情報に関連付けられた処理条件パラメータを読み出し、読み出した処理条件パラメータを用いて、原画像データから部分画像データを生成する。このことにより、設置作業者は、従来のようにＰＣの表示部に表示された設定画面上から処理条件を設定する必要がない。
したがって、マルチディスプレイシステム１の設営時において、ＰＣを用いることなく、プロジェクタ４単体で動作設定（台数情報、位置情報、処理条件等の設定）ができ、動作設定の簡略化により、マルチディスプレイシステム１を容易に構築できる。
また、設置作業者は、処理条件を設定する必要がないので、従来のように処理条件を間違って設定してしまう恐れがなく、各プロジェクタ４が適切に設置されていれば、原画像を良好に表示できる。
【００６２】
ところで、各部分画像が重なり合うことなく各部分画像によって原画像を構成する場合には、各プロジェクタが適切に設置されていないと、各部分画像間に隙間が生じ、原画像を良好に表示できない。
本実施形態では、各部分画像は、一部が重なり合う重なり領域を有して原画像を構成する。そして、部分画像情報生成部４３４１Ａは、切出範囲が部分画像の重なり領域を含んだ範囲に設定された処理条件パラメータを用いて、部分画像の重なり領域を含んだ範囲の画像データを原画像データから切り出して部分画像データを生成する。このことにより、各プロジェクタ４から拡大投射される各部分画像の一部が重なり合って原画像が表示されるので、各部分画像間に隙間が生じることがなく、原画像を良好に表示できる。
【００６３】
また、プロジェクタ４は、参照画像情報記憶部４３３２および参照画像表示制御部４３４２を備えているので、従来のようにＰＣを接続することなく、自身が表示すべき部分画像の位置に応じた参照部分画像を表示できる。このため、マルチディスプレイシステム１の設営時において、設置作業者は、各プロジェクタ４から拡大投射された各参照部分画像を確認しながら、各プロジェクタ４を適切な位置に調整することができる。すなわち、マルチディスプレイシステム１の構築をより容易に実施できる。
【００６４】
ここで、参照画像表示制御部４３４２は、プロジェクタ４の電源投入時において、参照画像表示制御を実施する。このことにより、マルチディスプレイシステム１の設営時において、設置作業者は、各プロジェクタ４の電源を投入するだけで、各プロジェクタ４から自身が表示すべき部分画像の位置に応じた各参照部分画像が拡大投射されるので、表示された各参照部分画像を確認しながら、各プロジェクタ４を適切な位置に迅速に調整することができる。すなわち、マルチディスプレイシステム１の構築をより容易にかつ迅速に実施できる。
また、各参照部分画像には、案内情報（格子状の線Ｆ１Ａ，Ｆ２Ａ，Ｆ３Ａ，Ｆ４Ａ、各領域Ｆ１Ｂ，Ｆ２Ｂ，Ｆ３Ｂ，Ｆ４Ｂの色を異なるものに設定した情報）が含まれている。このことにより、マルチディスプレイシステム１の設営時において、設置作業者は、各プロジェクタ４から拡大投射された各参照部分画像に含まれる各案内情報を認識することで、各プロジェクタ４を適切な位置に容易にかつ高精度に調整することができる。
【００６５】
[第２実施形態]
次に、本発明の第２実施形態を図面に基づいて説明する。
以下の説明では、前記第１実施形態と同様の構造および同一部材には同一符号を付して
、その詳細な説明は省略または簡略化する。
図９は、第２実施形態におけるプロジェクタ４０の構成を示すブロック図である。
本実施形態は、前記第１実施形態に対して、プロジェクタ４０（本実施形態では、前記第１実施形態と同様に、４台のプロジェクタ４０Ａ，４０Ｂ，４０Ｃ，４０Ｄ）が部分画像データにおける重なり領域（各部分画像が重なり合う領域）に対応する画像データに対してエッジブレンディング処理を実施して明るさを調整する点が異なるのみである。すなわち、プロジェクタ４０を構成する制御装置４３の画像データ処理部４３４１（画像補正部４３４１Ｂ）の機能、およびメモリ４３３に記憶される情報が異なるのみであり、その他の構成は、前記第１実施形態と同様のものである。
【００６６】
メモリ４３３は、制御装置４３にて各種処理を実行するための制御プログラム、各種処理に必要な情報、処理された情報等を記憶する部分であり、前記第１実施形態で説明した処理条件記憶部４３３１および参照画像情報記憶部４３３２の他、重なり補正情報記憶部４３３３を備える。
重なり補正情報記憶部４３３３は、画像補正部４３４１Ｂにて実施されるエッジブレンディング処理に必要な各重なり補正パラメータを記憶する。この重なり補正パラメータは、重なり領域の範囲を示す重なり領域情報と、重なり領域情報に基づく重なり領域の画像データの明るさを調整するための明るさ補正パラメータとに関する情報である。そして、重なり補正情報記憶部４３３３は、機械式スイッチ部４２に設定される各台数情報および各位置情報と、各重なり補正パラメータとを関連付けて（例えば、台数情報「１×１」および位置情報「１」と所定の重なり補正パラメータとを関連付け、台数情報「２×２」および位置情報「１」と所定の重なり補正パラメータとを関連付け、台数情報「２×２」および位置情報「２」と所定の重なり補正パラメータとを関連付け、・・・、台数情報「５×５」および位置情報「２５」と所定の重なり補正パラメータとを関連付けて）記憶する。例えば、重なり補正情報記憶部４３３３は、複数の情報を区画するデータテーブルを有し、台数情報および位置情報毎に各重なり補正パラメータをデータテーブルの各区画に対応させて記憶する構成が例示できる。
【００６７】
明るさ調整部としての画像補正部４３４１Ｂは、部分画像データに対して前記第１実施形態で説明したガンマ補正等適宜必要な画像データ補正処理を実施する機能の他、以下の機能を有する。すなわち、画像補正部４３４１Ｂは、スイッチ認識部４３２にて認識された台数情報および位置情報に関連付けられた重なり補正パラメータを重なり補正情報記憶部４３３３から読み出し、読み出した重なり補正パラメータを用いて、部分画像データにおける所定の重なり領域に対応する画像データに対して、明るさ（例えば、輝度や色）を調整するエッジブレンディング処理を実施する。
【００６８】
図１０および図１１は、画像補正部４３４１Ｂによるエッジブレンディング処理を説明するための図である。
例えば、前記第１実施形態のように、部分画像データに対してエッジブレンディング処理を実施しない場合には、図１０に示すように、一部が重なり合う各部分画像をそれぞれ表示するプロジェクタ４Ａ，４Ｂによる表示画像のスクリーンＳｃ上での重なり領域における輝度値が他の領域に比べて増大してしまう。
そして、本実施形態では、画像補正部４３４１Ｂは、前記第１実施形態で説明したステップＳＴ１５において、前記第１実施形態で説明した画像データ補正処理の他、以下に示すように、エッジブレンディング処理を実施する。
すなわち、画像補正部４３４１Ｂは、スイッチ認識部４３２にて認識された台数情報および位置情報に関連付けられた重なり補正パラメータを重なり補正情報記憶部４３３３から読み出す。そして、画像補正部４３４１Ｂは、読み出した重なり補正パラメータに基づいて、重なり領域情報により部分画像データにおける重なり領域を認識し、図１１に示すように、部分画像データにおける重なり領域に対応する画像データに対して、明るさ補正
パラメータにより、端部側に向かうにつれて次第に明るさを低下させるエッジブレンディング処理を実施する。
【００６９】
上述した第２実施形態によれば、前記第１実施形態と同様の効果の他、以下の効果がある。
画像補正部４３４１Ｂは、エッジブレンディング処理により重なり領域に対応する画像データの明るさを調整するので、原画像において、重なり領域における輝度値を他の領域と同様の輝度値とすることができ、原画像を自然な画像にして良好に表示できる。
また、重なり領域に対応する画像データの明るさ（輝度や色）を調整する画像補正処理を実施する構成としているので、例えば、部分画像の重なり領域の明るさを光学的に調整、すなわち、拡大投射される部分画像の一部の光量を調整する遮光板を用いる構成と比較して、プロジェクタ４０の構造の簡素化が図れる。
【００７０】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図１２は、第３実施形態におけるマルチディスプレイシステム１０の構成を示す図である。
前記第１実施形態では、マルチディスプレイシステム１は、画像信号分配器３を用いて画像出力装置２からの画像信号を各プロジェクタ４Ａ〜４Ｄに分配している。
これに対して第３実施形態では、マルチディスプレイシステム１０は、各プロジェクタ４Ａ〜４Ｄを直列接続（カスケード接続）し、画像信号分配器３を省略した構成としている。すなわち、各プロジェクタ４Ａ〜４Ｄを直列接続する構造、および画像信号分配器３を省略した点が前記第１実施形態と異なるのみであり、その他の構成は、前記第１実施形態と同様のものである。
【００７１】
すなわち、各プロジェクタ４Ａ〜４Ｄには、図１２に示すように、前記第１実施形態で説明した画像入力端子４３１Ａの他、画像入力端子４３１Ａを介して入力した画像信号をそのまま外部に出力可能なモニタ出力端子等の画像出力端子４３１Ｂを備えている。この画像出力端子４３１Ｂとしては、例えば、画像入力端子４３１Ａにそのまま並列接続されている構成を採用できる。また、このような構成を採用した場合には、画像信号を長い距離にわたって引き回すこととなって信号が減衰してしまいノイズが混入しやすくなり、また、画像出力装置２の画像信号の出力インピーダンスが高い場合にはやはり画像信号が減衰してしまう。このため、具体的な図示は省略するが、例えば、信号処理部４３１に接続し、バッファアンプを有する信号出力部から画像出力端子４３１Ｂを介して外部に画像信号を出力する構成が好ましい。このような構成では、信号処理部４３１から出力された画像信号がバッファアンプを介して画像出力端子４３１Ｂから外部に画像信号が出力されるので、上述した画像信号の減衰を抑制できる。
【００７２】
そして、マルチディスプレイシステム１０は、図１２に示すように、画像出力装置２とプロジェクタ４０Ａの画像入力端子４３１Ａとが信号線Ｓ６を介して接続し、プロジェクタ４Ａの画像出力端子４３１Ｂとプロジェクタ４Ｂの画像入力端子４３１Ａとが信号線Ｓ７を介して接続し、プロジェクタ４Ｂの画像出力端子４３１Ｂとプロジェクタ４Ｃの画像入力端子４３１Ａとが信号線Ｓ８を介して接続し、プロジェクタ４Ｃの画像出力端子４３１Ｂとプロジェクタ４Ｄの画像入力端子４３１Ａとが信号線Ｓ９を介して接続することで、各プロジェクタ４Ａ〜４Ｄが直列接続する。このように、各プロジェクタ４Ａ〜４Ｄが直列接続されることで、画像出力装置２からの同一の画像信号が各プロジェクタ４Ａ〜４Ｄに与えられる。
【００７３】
なお、マルチディスプレイシステム１０の動作については、前記第１実施形態で説明したマルチディスプレイシステム１の動作と同様であり、説明を省略する。
【００７４】
上述した第３実施形態によれば、前記第１実施形態と同様の効果の他、以下の効果がある。
本実施形態においては、前記第１実施形態で説明したようにプロジェクタ４単体で動作設定できるので、各プロジェクタ４Ａ〜４Ｄをカスケード接続する際、信号線Ｓ７〜Ｓ９の接続状態を間違えた場合であっても、各プロジェクタ４Ａ〜４Ｄが適切に設置されていれば、各プロジェクタ４Ａ〜４Ｄが拡大投射する部分画像の位置が異なることなく、原画像を良好に表示できる。
また、本実施形態によれば、前記第１実施形態と比較して、画像信号分配器３を省略でき、また、必要な信号線の数を減らすことができ（前記第１実施形態では信号線Ｓ１〜Ｓ５の５本に対して、本実施形態では信号線Ｓ６〜Ｓ９の４本）、マルチディスプレイシステム１０を簡略化できる。
【００７５】
なお、本発明は前述の実施形態に限定されるものではなく、本発明の目的を達成できる範囲での変形、改良等は本発明に含まれるものである。
前記各実施形態では、部分画像情報生成部４３４１Ａは、処理条件記憶部４３３１に記憶された各処理条件パラメータのうち、スイッチ認識部４３２にて認識された台数情報および位置情報に関連付けられた処理条件パラメータを用いて、部分画像データを生成していたが、これに限らない。部分画像情報生成部４３４１Ａによる部分画像データ生成処理は、スイッチ認識部４３２にて認識された台数情報および位置情報に基づいて、原画像データの少なくとも一部の画像データを切り出して部分画像データを生成する処理であれば、その他の処理で実施しても構わない。
【００７６】
前記各実施形態では、機械式スイッチ部４２は、スライドスイッチおよびディップスイッチで構成されていたが、これに限らず、機械的に設定可能とするスイッチであれば、その他のスイッチを採用しても構わない。
また、前記各実施形態では、台数設定部４２１への台数情報の設定として、相似比に関する情報（「１×１」、「２×２」、「３×３」、「４×４」、「５×５」）を設定可能とする構成としたが、これに限らず、ＰＪ番号設定部４２２と同様に、２進数のコードで、台数を設定可能とする構成としても構わない。
さらに、前記各実施形態では、台数情報の設定として、「５×５」の２５台までの設定しかできない構成としていたが、これに限らず、２５台以上の設定を可能とする構成等を採用しても構わない。
【００７７】
前記各実施形態では、各部分画像の一部が重なり合う重なり領域を有して原画像を構成する説明をしたが、これに限らず、各部分画像が重なり合うことなく各部分画像によって原画像を構成するものとしても構わない。
【００７８】
前記各実施形態において、機械式スイッチ部４２の設定が間違っていた場合、例えば、台数設定部４２１に設定された台数情報が「２×２」の４台であるにもかかわらず、ＰＪ番号設定部４２２に設定された位置情報が「５」である場合に、制御装置４３が画像投射部４１を駆動制御して、エラー表示、例えば、「機械式スイッチ部の設定が間違っている」旨のメッセージを表示させる構成としても構わない。例えば、上述した設定状態において、表示制御部４３４が、スイッチ認識部４３２にて認識された台数情報および位置情報に関連付けられた情報（処理条件パラメータ、参照部分画像情報、重なり補正パラメータ等）をメモリ４３３から読み出すことができない構成としておけば、該読み出すことができないことをトリガとして、上述したエラー表示を実施する。
【００７９】
前記各実施形態では、参照画像表示制御部４３４２は、スイッチ認識部４３２にて認識された台数情報および位置情報に関連付けられた参照部分画像データを参照画像情報記憶部４３３２から読み出し、該参照部分画像データに基づく参照部分画像を表示させる参照画像表示制御を実施していたが、これに限らず、以下に示すように参照画像表示制御を実施する構成としても構わない。
例えば、一画面を構成する参照原画像データを参照画像情報記憶部に記憶しておく。そして、参照画像表示制御部は、部分画像情報生成部４３４１Ａの部分画像データ生成処理と同様に、自身が表示すべき部分画像の位置に応じた切出範囲の画像データを参照原画像データから切り出して参照部分画像データを生成する。この後、参照画像表示制御部は、生成した参照部分画像データに基づく参照部分画像を表示させる参照画像表示制御を実施する。
【００８０】
また、前記各実施形態では、各プロジェクタ４にて拡大投射される各参照部分画像Ｆ１〜Ｆ４が全て同一の画像で構成されていたが、これに限らない。例えば、参照部分画像Ｆ１においては、各領域Ｆ１Ｂのうち、各領域Ｆ１Ｂ１，Ｆ１Ｂ５，Ｆ１Ｂ８の色を白に設定する。また、参照部分画像Ｆ２においては、各領域Ｆ２Ｂのうち、各領域Ｆ２Ｂ２，Ｆ２Ｂ５，Ｆ２Ｂ６の色を白に設定する。また、参照部分画像Ｆ３においては、各領域Ｆ３Ｂのうち、各領域Ｆ３Ｂ３，Ｆ３Ｂ７，Ｆ３Ｂ８の色を白に設定する。また、参照部分画像Ｆ４においては、各領域Ｆ４Ｂ４，Ｆ４Ｂ６，Ｆ４Ｂ７の色を白に設定する。すなわち、隣接する参照部分画像が重なり合う領域と、重なり合わない領域とを明確に区別する。
【００８１】
さらに、前記各実施形態において、案内情報としては、格子状の線Ｆ１Ａ，Ｆ２Ａ，Ｆ３Ａ，Ｆ４Ａや、各領域Ｆ１Ｂ，Ｆ２Ｂ，Ｆ３Ｂ，Ｆ４Ｂの色を異なるものに設定した情報を採用したが、これに限らない。
例えば、案内情報として、数や文字等を採用しても構わない。例えば、参照部分画像Ｆ１においては、「１」の数字や「Ａ」の文字を含んだ画像とする。また、参照部分画像Ｆ２においては、「２」の数字や「Ｂ」の文字を含んだ画像とする。また、参照部分画像Ｆ３においては、「３」の数字や「Ｃ」の文字を含んだ画像とする。また、参照部分画像Ｆ４においては、「４」の数字や「Ｄ」の文字を含んだ画像とする。
また、例えば、案内情報を含まない参照部分画像としても構わない。
【００８２】
前記各実施形態では、各部分画像を並べることで原画像を構成する「タイリング表示」を説明したが、前記各実施形態で説明したプロジェクタ４は、各部分画像の全ての領域を重ねて原画像を構成する「スタック表示」も実施可能に構成されているものである。すなわち、この「スタック表示」を実施する際には、例えば、各プロジェクタ４において、各台数情報設定部４２１の各スイッチトップ４２１Ａを外装筺体４４に形成された「１」の数字位置に位置付けるとともに、ＰＪ番号設定部４２２のスイッチ４２２ＡのみをＯＮ状態とする。このような設定により、各プロジェクタ４において、各部分画像情報生成部４３４１Ａは、上述した設定によりスイッチ認識部４３２にて認識された台数情報および位置情報（１台中の１番目）に関連付けられた処理条件パラメータを処理条件記憶部４３３１から読み出し、読み出した処理条件パラメータを用いて、原画像データに対して画像データ切出処理（原画像データの全ての領域を切り出す）および画像サイズ変換処理（拡大率１）を実施して、すなわち、原画像データを部分画像データとする。
【００８３】
また、以上の「スタック表示」を実施する際には、参照画像表示制御部４３４２は、以下に示す参照部分画像Ｆ１´，Ｆ２´，Ｆ３´，Ｆ４´を表示させる参照画像表示制御を実施するものである。
図１３は、スタック表示を実施する場合での参照部分画像Ｆ１´，Ｆ２´，Ｆ３´，Ｆ４´の一例を示す図である。なお、図１３中、中央部分の画像は、スタック表示された、すなわち、参照部分画像Ｆ１´，Ｆ２´，Ｆ３´，Ｆ４´を重ねた状態の参照原画像を示
している。
すなわち、参照画像表示制御部４３４２は、上述した設定によりスイッチ認識部４３２にて認識された台数情報および位置情報（１台中の１番目）に関連付けられた参照部分画像データを参照画像情報記憶部４３３２から読み出し、読み出した参照部分画像データに基づく参照部分画像を液晶ライトバルブ４１２に形成させる参照画像表示制御を実施する。
ここで、各参照部分画像Ｆ１´〜Ｆ４´は、図１３に示すように、各プロジェクタ４の設置位置を調整するための案内情報を含んだ画像で構成されている。より具体的に、各参照部分画像Ｆ１´〜Ｆ４´は、図１３に示すように、縦横に延びる格子状の線Ｆ１Ａ１´，Ｆ２Ａ１´，Ｆ３Ａ１´，Ｆ４Ａ１´と、一対の対角線Ｆ１Ａ２´，Ｆ２Ａ２´，Ｆ３Ａ２´，Ｆ４Ａ２´とを有する。なお、図１３の例では、線Ｆ１Ａ１´，Ｆ２Ａ１´，Ｆ３Ａ１´，Ｆ４Ａ１´は、縦方向に７本、横方向に７本で構成されている。そして、マルチディスプレイシステム１の設営時において、設置作業者は、各参照部分画像Ｆ１´〜Ｆ４´を確認しながら、すなわち、各線Ｆ１Ａ１´〜Ｆ４Ａ１´がそれぞれ合致しかつ、各一対の対角線Ｆ１Ａ２´〜Ｆ４Ａ２´がそれぞれ合致するように、各プロジェクタ４Ａ〜４Ｄを設置する。
【００８４】
前記第２実施形態では、明るさ調整部として画像補正部４３４１Ｂを採用したが、これに限らず、部分画像の重なり領域の明るさを光学的に調整、すなわち、拡大投射される部分画像の一部の光量を調整する遮光板を採用しても構わない。
また、前記第２実施形態では、画像補正部４３４１Ｂは、部分画像データにおける重なり領域に対応する画像データに対して、端部側に向かうにつれて次第に明るさを低下させるエッジブレンディング処理を実施していたが、これに限らず、重なり領域に対応する画像データの輝度値を全て略０にする処理や、重なり領域に対応する画像データの色を全て黒にする処理等を採用しても構わない。
【００８５】
前記第３実施形態における各プロジェクタ４をカスケード接続する構成に、前記第２実施形態で説明したエッジブレンディング処理を実施する機能を付加しても構わない。
前記各実施形態では、信号線Ｓ１〜Ｓ９として、ＵＳＢ(Universal Serial Bus)ケーブル、ＬＡＮ(Local Area Network)ケーブル等の有線で信号を伝送するものとして説明したが、これに限らず、無線媒体（電波、音、赤外線等）を介して信号を伝送する規格で構成しても構わない。
【００８６】
前記各実施形態では、透過型の液晶パネル（液晶ライトバルブ４１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ４１２を３枚設けた構成としていたが、これに限らず、１枚のみの液晶ライトバルブ４１２を設ける構成、２枚の液晶ライトバルブ４１２を設ける構成、４枚以上の液晶ライトバルブ４１２を設ける構成としてもよい。
【００８７】
前記各実施形態では、表示装置としてプロジェクタを採用していたが、これに限らず、直視型のディスプレイ（プラズマや液晶、ＣＲＴ(Cathode-Ray Tube)ディスプレイ等）で構成しても構わない。このように直視型のディスプレイを表示装置として構成した場合には、前記各実施形態で説明した重なり領域とは異なり、各ディスプレイのエッジの部分が生じてしまうので、該エッジの部分を例えば前記第２実施形態で説明した画像補正処理と同様に明るさを調整して目立たなくすることが好ましい。
【００８８】
さらに、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲か
ら逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００８９】
本発明の表示装置は、マルチディスプレイシステムを容易に構築できるため、プレゼンテーション等に用いられるマルチディスプレイシステムを構成する表示装置に利用できる。
【図面の簡単な説明】
【００９０】
【図１】第１実施形態におけるマルチディスプレイシステムの構成を示す図。
【図２】前記実施形態におけるプロジェクタの構成を示すブロック図。
【図３】前記実施形態における機械式スイッチ部の構成を示す図。
【図４】前記実施形態における機械式スイッチ部の構成を示す図。
【図５】前記実施形態におけるマルチディスプレイシステムの設営時におけるプロジェクタの動作を説明するフローチャート。
【図６】前記実施形態におけるマルチディスプレイシステムの設営時におけるプロジェクタの動作を説明するための図。
【図７】前記実施形態におけるタイリング表示動作を説明するフローチャート。
【図８】前記実施形態におけるタイリング表示動作を説明するための図。
【図９】第２実施形態におけるプロジェクタの構成を示すブロック図。
【図１０】前記実施形態における画像補正部によるエッジブレンディング処理を説明するための図。
【図１１】前記実施形態における画像補正部によるエッジブレンディング処理を説明するための図。
【図１２】第３実施形態におけるマルチディスプレイシステムの構成を示す図。
【図１３】前記各実施形態におけるスタック表示を実施する場合での参照部分画像の一例を示す図。
【符号の説明】
【００９１】
１，１０・・・マルチディスプレイシステム、４，４Ａ〜４Ｄ，４０，４０Ａ〜４０Ｄ・・・プロジェクタ（表示装置）、４１・・・画像投射部（表示部）、４２・・・機械式スイッチ部、４３・・・制御装置、４３２・・・スイッチ認識部、４３４１Ａ・・・部分画像情報生成部、４３４１Ｂ・・・画像補正部（明るさ調整部）、４３４２・・・参照画像表示制御部、ＳＴ１１・・設定認識ステップ、ＳＴ１２〜ＳＴ１４・・・部分画像情報生成ステップ。
【図１】
2008026686.tif 000003
【図２】
2008026686.tif 000004
【図３】
2008026686.tif 000005
【図４】
2008026686.tif 000006
【図５】
2008026686.tif 000007
【図６】
2008026686.tif 000008
【図７】
2008026686.tif 000009
【図８】
2008026686.tif 000010
【図９】
2008026686.tif 000011
【図１０】
2008026686.tif 000012
【図１１】
2008026686.tif 000013
【図１２】
2008026686.tif 000014
【図１３】
2008026686.tif 000015